(57)【要約】      （修正有）【課題】印章ケースを手に持った時にヒンジの両端部が滑らかな感触を持ち、しかも加工が簡単で、低コストの印章ケースの金枠ヒンジを提供する。【解決手段】印章ケースの左右一対の金枠を開閉自在に連結する金枠ヒンジであって、左右の金枠にそれぞれ固定された筒体と、これらの筒体を貫通する棒状体とで構成され、棒状体の両端部を筒体に固定して左右の金枠を連結するとともに、この棒状体に金枠が開く方向のねじり力を加えてなる印章ケースの金枠ヒンジにおいて、上記筒体の外側端部に膨頭部を形成してその端面をＲ状とした印章ケースの金枠ヒンジ。【選択図】図３
0003134961.tif 000002
【実用新案登録請求の範囲】
【請求項１】
印章ケースの左右一対の金枠を開閉自在に連結する金枠ヒンジであって、左右の金枠にそれぞれ固定された筒体と、これらの筒体を貫通する棒状体とで構成され、棒状体の両端部を筒体に固定して左右の金枠を連結するとともに、この棒状体に金枠が開く方向のねじり力を加えてなる印章ケースの金枠ヒンジにおいて、上記筒体の外側端部に膨頭部を形成してその端面をＲ状としたことを特徴とする印章ケースの金枠ヒンジ。
【請求項２】
筒体の外側端部に形成した膨頭部が、筒体を絞り加工することによってその端面をＲ状に形成したことを特徴とする請求項１記載の印章ケースの金枠ヒンジ。
【請求項３】
筒体の外側端部に形成した膨頭部が、その内部に棒状体を装着した状態で筒体を絞り加工することによってその端面をＲ状に形成したことを特徴とする請求項２記載の印章ケースの金枠ヒンジ。
【考案の詳細な説明】
【技術分野】
【０００１】
この考案は、印章ケースの左右一対の金枠を開閉自在に連結する金枠ヒンジに関するものである。
【背景技術】
【０００２】
従来の印章ケース２０としては、図４および図５の例に見られるように、印章ケース２０のヒンジ２１を構成する一対の矩形状金枠２２，２３は、その一方の長辺２４，２５に円筒体２６ａ，２６ｂ及び２７ａ，２７ｂが交互にロウ付けされている。そして、これら円筒体を２６ａ，２７ａ，２６ｂ，２７ｂの順で縦に一直線に並べたのち平棒２８をその内部に貫通させ、その上で円筒体２６ａ，２７ｂの両端部を押し潰した構成が知られている。
しかしながら、上記円筒体２６ａ，２７ｂの両端部が押し潰された状態でそのまま残っているために、印章ケース２０を手に持った時にヒンジ２１の両端部が角張った感じで手に触れてしまうという問題があり、またその部分のみばえも良いものとはいえなかった。
【０００３】
そこで、図４および図５に示したように、上記円筒体２６ａ，２７ｂのかしめ部３０，３１より外側部分を各円筒体２６ａ，２７ｂがロウ付けされているそれぞれの金枠２２，２３側に押し潰して扁平部３２，３３を形成し、印章ケース２０を手に持った時にヒンジ２１の両端部が滑らかな感触を持ち、その部分のみばえを良くした印章ケースの金枠ヒンジが提案されている（特開平９−２２６２２１号公報、特許文献１参照）。
【特許文献１】特開平９−２２６２２１号公報
【考案の開示】
【考案が解決しようとする課題】
【０００４】
ところで、特許文献１のように円筒体２６ａ，２７ｂの端部を金枠２２，２３側に押し潰して扁平部３２，３３を形成した場合、その端面を注意深く加工しないと先端がとがってしまうのでかえって危険であり、また加工に手間がかかって高コストになってしまうという欠点があった。
【０００５】
そこでこの考案は、印章ケースを手に持った時にヒンジの両端部が滑らかな感触を持ち、しかも加工が簡単で、低コストの印章ケースの金枠ヒンジを提供することを目的としている。
【課題を解決するための手段】
【０００６】
すなわち、この考案に係る印章ケースの金枠ヒンジは、印章ケースの左右一対の金枠を開閉自在に連結する金枠ヒンジであって、左右の金枠にそれぞれ固定された筒体と、これらの筒体を貫通する棒状体とで構成され、棒状体の両端部を筒体に固定して左右の金枠を連結するとともに、この棒状体に金枠が開く方向のねじり力を加えてなる印章ケースの金枠ヒンジにおいて、上記筒体の外側端部に膨頭部を形成してその端面をＲ状としたことを特徴とするものである。
【０００７】
またこの考案に係る印章ケースの金枠ヒンジは、前記筒体の外側端部に形成した膨頭部が、筒体を絞り加工することによってその端面をＲ状に形成したことをも特徴とするものである。
【０００８】
この考案に係る印章ケースの金枠ヒンジは、前記筒体の外側端部に形成した膨頭部が、その内部に棒状体を装着した状態で筒体を絞り加工することによってその端面をＲ状に形成したことをも特徴とするものである。
【考案の効果】
【０００９】
以上説明したように、この考案に係る印章ケースの金枠ヒンジによれば、筒体の外側端部に膨頭部を形成してその端面をＲ状に形成したので、ヒンジの両端部には従来のような角張った感じが取り除かれ、印章ケースを持ったときの手の感触が良好になる。すなわち、とがった危険な状況が解消するので手が傷ついたり、ポケットやかばん等を傷つけたりすることがなく、ＰＬ法による賠償を請求されるおそれがなくなった。
またこの考案においては加工が簡単で、低コストの印章ケースの金枠ヒンジを提供することが可能となった。
【考案を実施するための最良の形態】
【００１０】
以下添付図面に基いてこの考案に係る印章ケースの金枠ヒンジの実施の形態を詳細に説明する。
図１はこの考案に係る印章ケースの金枠ヒンジの１実施例を示す背面図、図２は印章ケースを閉じた状態の斜視図、図３はこの考案の要部を示す斜視図である。
【００１１】
図１ないし図３はこの考案に係るヒンジ１２を用いて連結した一対の金枠１３，１４を示したものである。この考案に係る印章ケース１１の金枠１３，１４は矩形状のフレームとして構成され、各金枠１３，１４の一方の長辺１５，１６には円筒体１７ａ，１７ｂ及び１８ａ，１８ｂが交互にロウ付けされている。そして、これら円筒体を１７ａ，１８ａ，１７ｂ，１８ｂの順で縦に一直線に並べたのち棒状体１９をその内部に貫通させる。
【００１２】
上述のように、棒状体１９を円筒体１７ａ及び１８ｂの内側位置に留めた状態で、棒状体１９の端部を円筒体１７ａ及び１８ｂにロー付けする。これによって棒状体１９は円筒体１７ａ及び１８ｂに固定され、金枠１３，１４のヒンジ１２を構成するとともに、金枠１３，１４を閉じた時には棒状体１９にねじりが生じてバネ力を発生する。
【００１３】
この考案では、図１ないし図３に示したように、上記円筒体１７ａ，１８ｂの外側端部に膨頭部１０を形成してその端面をＲ状としている。この膨頭部１０は、各円筒体を絞り加工することによってその端面をＲ状に形成したものである。
特に、前記膨頭部１０の内部に棒状体１９を装着した状態で各円筒体を絞り加工することによってその端面をＲ状に形成すれば、棒状体１９の各円筒体への固定と、各円筒体の絞り加工による膨頭部１０の形成とを同時に行なうことができる。
このように、円筒体１７ａ，１８ｂの外側端部に膨頭部１０を形成してその端面をＲ状とすることにより、その端面には鋭角部分がなくなって印章ケースを持ったときの手の感触が良好になり、また手を傷つけるおそれもない。
【産業上の利用可能性】
【００１４】
この考案に係る印章ケースの金枠ヒンジは、上記においては金枠を用いた場合について説明したが、プラスチックその他の素材を用いた印章ケースにおいても同様に適用することが可能である。
【図面の簡単な説明】
【００１５】
【図１】この考案に係る印章ケースの金枠ヒンジの１実施例を示す背面図である。
【図２】印章ケースを閉じた状態の斜視図である。
【図３】この考案の要部を示す斜視図である。
【図４】従来における金枠ヒンジを用いた印章ケースの背面図である。
【図５】従来における金枠ヒンジを用いた印章ケースの斜視図である。
【符号の説明】
【００１６】
１２ ヒンジ
１３ 金枠
１４ 金枠
１７ａ 円筒体
１７ｂ 円筒体
１８ａ 円筒体
１８ｂ 円筒体
１９ 棒状体
【図１】
0003134961.tif 000003
【図２】
0003134961.tif 000004
【図３】
0003134961.tif 000005
【図４】
0003134961.tif 000006
【図５】
0003134961.tif 000007